(57)【要約】【課題】装置前面からの視認性を確保しながら、装置内部に配設された可動ユニットの操作を装置前面から簡単にすることができる原稿送り装置を提供する。【解決手段】原稿送り装置１３５において、原稿の搬送路の一部を露出するため開閉可能に取り付けられた外装カバー４０２と、その外装カバー４０２を開くことで露出する部分と露出しない部分を表面に有し、外装カバー４０２を開くことで露出しない部分を露出可能に取り付けられた可動ユニット５０５とを設け、その可動ユニット５０５に、外装カバーを開くことで露出する部分に突設されるとともに当該露出部分を装置前面から視認するための視認用孔６０４を有した把手５０６を備える。【選択図】図６
2007124013.tif 000002
【特許請求の範囲】
【請求項１】
原稿送り装置であって、
原稿の搬送路の一部を露出するため開閉可能に取り付けられた外装カバーと、
前記外装カバーを開くことで露出する部分と露出しない部分を表面に有し、前記外装カバーを開くことで露出しない部分を露出可能に取り付けられた可動ユニットとを備え、
前記可動ユニットが、前記外装カバーを開くことで露出する部分に突設されるとともに当該露出部分を装置前面から視認するための視認用孔を有した把手を備える
原稿送り装置。
【請求項２】
前記外装カバーが、装置上面を覆う外装カバー部と装置前面を覆う前面カバー部を有する請求項１記載の原稿送り装置。
【請求項３】
装置前部と後部に、前記外装カバーの前面カバー部および外装カバー部をそれぞれ受ける側板を備え、
装置前部の側板が、前記前面カバー部を受けるための欠切を有する請求項２記載の原稿送り装置。
【請求項４】
前記装置前部の側板のカバー受け部が、原稿の搬送面と略同一面を形成する請求項３記載の原稿送り装置。
【請求項５】
前記把手が、前記外装カバーを開くことで露出する部分の装置前部側に配置された請求項３記載の原稿送り装置。
【請求項６】
前記視認用孔が、装置前後方向に貫通する孔である請求項５記載の原稿送り装置。
【請求項７】
前記可動ユニットが、原稿搬送方向下流側に設けられた軸に対して揺動可能に取り付けられ、前記外装カバーを開くことで露出しない部分に原稿読取部を有する中間搬送ユニットである請求項１記載の原稿送り装置。
【請求項８】
請求項１乃至請求項７のいずれか１項に記載の原稿送り装置を備えた画像読取装置。
【発明の詳細な説明】
【技術分野】
【０００１】
本発明は、原稿の搬送路を露出するための外装カバーを備えた原稿送り装置、およびその原稿送り装置を備えた画像読取装置に関する。
【背景技術】
【０００２】
複写機やファクシミリ、スキャナ、複合機などの画像読取装置には、原稿送り装置が装備されることがある。原稿送り装置を用いて複数枚の原稿を１枚ずつ自動的に画像読取位置に搬送することで、画像読取装置は、各原稿を連続的に読み取ることができる。
【０００３】
原稿送り装置は、例えば特許文献１のように、原稿搬送路に原稿が詰まった場合でも容易にジャム処理をするため開閉可能な外装カバーを備える。特許文献１に記載の原稿送り装置では、外装カバーを開くことで原稿搬送路の上流側を開放する。さらに、この原稿送り装置では、原稿搬送路の下流側をも開放するため、中間フレームが揺動可能に取り付けられている。
【特許文献１】特開２００４−９９２４０号公報
【発明の開示】
【発明が解決しようとする課題】
【０００４】
しかしながら、このような原稿送り装置では、中間フレームが装置内部に配設されているため、中間フレームを開いて原稿搬送路の下流側を露出するとき、その操作がしづらいという問題があった。また装置の上方からでないと、搬送路や装置内部の様子を観察することが難しいという問題があった。
【０００５】
本発明は、このような従来の技術における課題を鑑みてなされたものであり、装置前面からの視認性を確保しながら、装置内部に配設された可動ユニットの操作を装置前面から簡単にすることのできる原稿送り装置および画像読取装置を提供することを目的とするものである。
【課題を解決するための手段】
【０００６】
上述の目的を達成するために本発明の提供する原稿送り装置は、原稿の搬送路の一部を露出するため開閉可能に取り付けられた外装カバーと、その外装カバーを開くことで露出する部分と露出しない部分を表面に有し、外装カバーを開くことで露出しない部分を露出可能に取り付けられた可動ユニットとを備え、その可動ユニットが、外装カバーを開くことで露出する部分に突設されるとともに当該露出部分を装置前面から視認するための視認用孔を有した把手を備える。この原稿送り装置では、外装カバーを開くことで露出する部分に把手が突設されているため、装置前面からでも簡単にその把手にアクセスして可動ユニットを操作することができる。しかも、その把手には装置前面から視認するための視認用孔が設けられているため、その把手によって利用者の視界が阻害されることがない。
【０００７】
この原稿送り装置において、外装カバーは、例えば装置上面を覆う外装カバー部と前面カバー部を有する。この外装カバーを開くことで利用者の目前にあった前面カバー部が移動するので、利用者は姿勢を変えずとも装置前面から装置内部の様子を観察することが可能となる。
【０００８】
外装カバーが外装カバー部および前面カバー部を備える場合、原稿送り装置の前部と後部に、それぞれを受ける側板を配置することができる。装置前部の側板には、前面カバー部を受けるための欠切を設ける。
【０００９】
さらに装置前部の側板のカバー受け部が、原稿の搬送面と略同一面を形成するようにしてもよい。装置前部の側板のカバー受け部が、原稿の搬送面と略同一面を形成している場合、外装カバーを開けば、利用者の視点が低い位置にあっても、装置前面から搬送面の様子を観察することが可能となる。
【００１０】
この原稿送り装置において、把手は、外装カバーを開くことで露出する部分の装置前部側に配置することができる。利用者のいる装置前部側に把手を配置することで、利用者はその把手を用いて簡単に可動ユニットの操作をすることができる。しかも、把手には、例えば装置前後方向に貫通する視認用孔が設けられているので、その把手と同じ程度の高さに利用者の視点があっても、装置前面から装置内部の様子を容易に観察することができる。
【００１１】
可動ユニットは、例えば原稿搬送方向下流側に設けられた軸に対して揺動可能に取り付けられ、外装カバーを開くことで露出しない部分に原稿読取部を有する中間搬送ユニットである。このような中間搬送ユニットの原稿搬送方向上流側を操作しようとする場合に、その操作に障害となる部材がその近くにあっても把手を利用することで、簡単に中間搬送ユニットを操作することができる。このため原稿読取部付近で原稿が詰まったようなときでも、簡単に解消することが可能となる。
【００１２】
他の観点によれば本発明は、上述の原稿送り装置を備えた画像読取装置を提供する。これによって画像読取装置の操作利便性を向上させることができる。
【発明の効果】
【００１３】
以上のような構成を採用することにより、本発明では、装置前面からの視認性を確保しながら、装置内部に配設された可動ユニットの操作を装置前面から簡単にすることができる。
【発明を実施するための最良の形態】
【００１４】
以下、添付図面を参照して本発明の実施の形態について説明する。この実施の形態では、原稿送り装置を備えたデジタル複写機として本発明を具体化する。
【００１５】
図１は複写機の全体構成を説明するための図である。複写機１０１は、画像読取部１０２および画像形成部１０３を備えている。画像読取部１０２は、原稿の画像を読み取りその画像のデジタルデータを生成する。画像読取部１０２は、コンタクトガラスのような原稿台１０４をその筐体上面に有している。原稿は、その原稿台１０４に載置することができる。原稿台１０４の下方には走査光学系１０５を配置している。走査光学系１０５は、第１キャリッジ１０６や第２キャリッジ１０７、集光レンズ１０８を備えている。第１キャリッジ１０６には線状の光源１０９およびミラー１１０が設けられ、第２キャリッジ１０７にはミラー１１１および１１２が設けられている。光源１０９は原稿を照明する。ミラー１１０乃至１１２は、原稿からの反射光をレンズ１０８に導き、レンズ１０８はその光像をラインイメージセンサ１１３の受光面に結像する。この走査光学系１０５において、第１キャリッジ１０６および第２キャリッジ１０７は、副走査方向１１４に往復動可能に設けられている。第１キャリッジ１０６および第２キャリッジ１０７を副走査方向１１４に移動することによって、原稿台１０４に載置された原稿の画像をイメージセンサ１１３で読み取ることができる。イメージセンサ１１３は、受光面に入射した光像から、原稿の画像データを生成する。
【００１６】
画像形成部１０３は、画像読取部１０２で得た画像データや、ネットワークを通じて他の機器から受信した画像データを用紙に印刷する。画像形成部１０３には、感光体ドラム１１５が設けられている。この感光体ドラム１１５は、一定速度で矢印方向１１６に回転する。感光体ドラム１１５の周囲には、回転方向の上流側から順に、帯電器１１７、露光器１１８、現像器１１９、転写器１２０などが配置されている。帯電器１１７は、感光体ドラム１１５表面を一様に帯電させる。露光器１１８は、一様に帯電した感光体ドラム１１５の表面に、各色の画像データに応じて光を照射し、感光体ドラム１１５上に静電潜像を形成する。現像器１１９は、その静電潜像に各色のトナーを付着させ、感光体ドラム１１５上にトナー像を形成する。転写器１２０は、感光体ドラム１１５上のトナー像を用紙に転写する。
【００１７】
画像形成部１０３は、手差しトレイ１２１、給紙カセット１２２および１２３などから、感光体ドラム１１５と転写器１２０との間の転写部に用紙を給送する。手差しトレイ１２１や各カセット１２２、１２３には、様々なサイズの用紙を載置または収容することができる。画像形成部１０３は、ユーザの指定した用紙や、自動検知した原稿のサイズに応じた用紙を選択し、選択した用紙を給送ローラ１２４によりトレイ１２１やカセット１２２、１２３から引き出す。引き出した用紙は搬送ローラ１２５やレジストローラ１２６で転写部に送り込む。トナー像を転写した用紙は、定着器１２７に搬送される。定着器１２７は、定着ローラ１２８および加圧ローラ１２９を有しており、熱と押圧力によってトナー像を用紙に定着する。画像形成部１０３は、定着器１２７を通過した用紙を排紙トレイ１３０または１３１へ排紙する。排紙トレイ１３０および１３１のいずれに排出するかを切替爪１３２で制御し、排出ローラ１３３または１３４で一方の排紙トレイへ排紙する。
【００１８】
このような複写機１０１において、画像読取部１０２の上側には原稿送り装置１３５が開閉可能に取り付けられている。原稿送り装置１３５には、原稿トレイ１３６、搬送路１３７および排紙トレイ１３８が備えられている。ユーザは、原稿台１０４に原稿を載置するか、この原稿送り装置１３５に原稿をセットする。原稿送り装置１３５は、原稿トレイ１３６にセットされた原稿を１枚ずつ搬送路１３７へ送りだす。その搬送路１３７上には画像読取位置１３９がある。画像読取部１０２の筐体上面には、原稿台１０４だけでなく、その画像読取位置１３９に対する読取用ガラス１４０も設けられている。原稿送り装置１３５にセットされた原稿の画像を読み取る場合、画像読取部１０２は、第１キャリッジ１０６および第２キャリッジ１０７を画像読取位置１３９に合わせて一時的に固定する。原稿が画像読取位置１３９を通過するとき、読取用ガラス１４０を通じて原稿を照明し、原稿の画像を読み取る。画像読取位置１３９を通過した原稿は、排紙トレイ１３８に排出される。
【００１９】
図２は原稿送り装置の外観を示す図である。この原稿送り装置１３５において、原稿トレイ１３６の原稿搬送方向２０１下流側には、原稿カーソル２０２を有する昇降板２０３が昇降可能に取り付けられている。原稿カーソル２０２は、原稿幅方向２０４に往復動可能に設けられている。この原稿カーソル２０２を用いて、原稿トレイ１３６に載置された原稿を幅寄せすることで、原稿の幅方向の中心を機械と合わせることができる。昇降板２０３は、原稿トレイ１３６とともに原稿の載置面を形成し、その載置面上にセットされた原稿束から原稿を１枚ずつ搬送路に送り出すために原稿の先端を押し上げる。
【００２０】
図３は原稿送り装置の全体構成をより詳細に説明するための断面図である。原稿送り装置１３５は、原稿トレイ１３６に載置された原稿束から原稿を１枚ずつ分離するためピックアップローラ３０１、給送ベルト３０２および分離ローラ３０３を備えている。昇降板２０３を上昇させると、原稿束の最上面の先端がピックアップローラ３０１に押し当てられる。その状態でピックアップローラ３０１を駆動することで、原稿束から原稿が引き出される。引き出された原稿が２枚以上あっても、それらの原稿から１枚目の原稿を給送ベルト３０２および分離ローラ３０３が分離して搬送路１３７の下流側へ搬送する。その下流には、レジストローラ３０４および搬送ローラ３０５が設けられている。レジストローラ３０４で画像読取位置１３９に搬送するタイミングを調整し、搬送ローラ３０５が画像読取位置１３９へ原稿を搬送する。その画像読取位置１３９で原稿の片面の画像が読み取られる。この原稿送り装置１３５では、画像読取位置１３９の下流に、密着光学系を採用した原稿読取部３０６が配置されている。原稿の両面の画像を読み取る場合、この原稿読取部３０６で残りの面の画像を読み取る。原稿読取部３０６を通過した原稿は、中間搬送ローラ３０７により排紙ローラ３０８へ搬送され、排紙ローラ３０８により排紙トレイ１３８へ排紙される。
【００２１】
図４は原稿送り装置で原稿が詰まった様子を示す図である。この図では、原稿送り装置１３５の原稿トレイ１３６に長尺の原稿４０１がセットされており、その原稿４０１の先端部が原稿送り装置１３５の内部で詰まっている。このような原稿詰まりを解消するため、原稿送り装置１３５は開閉可能な外装カバー４０２を備えている。外装カバー４０２は、原稿送り装置の原稿搬送方向２０１の下流側端４０３で軸支されており、その軸を中心として揺動可能に取り付けられている。外装カバー４０２は、装置上面を覆う上面カバー部４０４および前面カバー部４０５を有する。装置後部の側板４０６が上面カバー部４０４を受け、装置前部の側板４０７が前面カバー部４０５を受ける。外装カバー４０２を開くと、上面カバー部４０４と側板４０６は分割線４０８で分割され、前面カバー部４０５と側板４０７は分割線４０９で分割される。外装カバー４０２を開くときは、上面カバー部４０４に設けられたスイッチ４１０を使う。外装カバー４０２が閉じているとき、外装カバー４０２は本体に係止されている。スイッチ４１０を操作することで、その係止を解除して外装カバー４０２を開くことができる。
【００２２】
図５は原稿送り装置の外装カバーを開いた状態を示す図である。原稿送り装置１３５において、外装カバー４０２を開くと、搬送路１３７の上流側が露出する。この部分で原稿が詰まったときには、外装カバー４０２を開くことで簡単に取り除くことができる。
【００２３】
外装カバー４０２を開くことで露出する搬送路１３７の上面は、外装カバー４０２の内面板５０１によって構成される。内面板５０１には、ピックアップローラ３０１および給送ベルト３０２が配置されている。さらにレジストローラ３０４の対の一方や搬送ローラ３０５の対の一方も配置されている。外装カバー４０２の内側面５０２には、Ｌ字状の係止片５０３が取り付けられている。揺動可能な係止片５０３は弾性付勢されており、外装カバー４０２を閉じる直前に本体側の係止片５０４に当接する。その付勢に抗して外装カバー４０２を閉じると、係止片５０３の屈曲部が棒状の係止片５０４と係合し、外装カバー４０２を本体に係止する。
【００２４】
また外装カバー４０２を開くことで露出する搬送路１３７の下面は、中間搬送ユニット５０５の上面によって形成される。中間搬送ユニット５０５の上面には、レジストローラ３０４や搬送ローラ３０５のもう一方、分離ローラ３０３が配置されている。
【００２５】
中間搬送ユニット５０５は、原稿搬送方向２０１下流側に設けられた軸に対して揺動可能に装置本体に取り付けられており、この中間搬送ユニット５０５を開くことで、搬送路１３７の残りの部分も露出させることができる。中間搬送ユニット５０５の反対側の面には原稿読取部や中間搬送ローラも配置されており、外装カバー４０２を開くだけではその部分が露出しない。このため、搬送路１３７上の下流側で原稿が詰まっているときなどには、中間搬送ユニット５０５を開き、その部分を露出する。
【００２６】
本実施の形態における原稿送り装置１３５は、中間搬送ユニット５０５の操作を簡単にするため把手５０６を中間搬送ユニット５０５の上面に突設している。この原稿送り装置１３５では、外装カバー４０２を開くことで露出する中間搬送ユニット５０５の上面の装置前部側に把手５０６を配置しているので、装置前面からの中間搬送ユニット５０５の操作がとりわけ容易である。
【００２７】
図６は外装カバーを開いた原稿送り装置をより低い視点から見た図である。この原稿送り装置１３５では、上述のとおり、外装カバー４０２が前面カバー部４０５を有している。側板４０７上面のカバー受け部６０１には、前面カバー部４０５に対応した欠切６０２が設けられている。このため外装カバー４０２を開くと、原稿送り装置１３５の高さとほとんど変わらないところから見たときでも、中間搬送ユニット５０５の上面を装置前部から観察することができる。特にこの原稿送り装置１３５では、装置前部の側板４０７のカバー受け部６０１が、原稿の搬送面と略同一に形成されている。したがって側板４０７によって死角が生じず、ほぼ全体に渡って中間搬送ユニット５０５の上面を装置前部から観察することが可能である。この原稿送り装置１３５では、装置前面からの視界を阻害しないため、装置後部の側板４０６上面のカバー受け部６０３を原稿の搬送面と略同一に形成しておらず欠切も設けていない。また装置前部側に配置した把手５０６には、装置前後方向に貫通する視認用孔６０４を設けている。このため把手５０６があっても視認性は損なわれない。利用者は、必要に応じ、装置前部からその把手を持って中間搬送ユニット５０５を開く。
【００２８】
図７は原稿送り装置の外装カバーおよび中間搬送ユニットを開いた状態を示す図である。外装カバー４０２を開いてから、中間搬送ユニット５０５も開くと、中間搬送ユニット５０５はほぼ直立した状態となる。この状態では、中間搬送ユニット５０５の下側にある部分７０１が露出する。このため、その部分７０１で原稿が詰まっているときでも、簡単にその原稿を取り除くことができる。またその部分７０１にある原稿読取部などを清掃する場合でも、把手５０６を使うことで中間搬送ユニット５０５を簡単に操作することができる。把手５０５を使えば、中間搬送ユニット５０５の原稿搬送方向２０１上流側に手をかけるなどして中間搬送ユニット５０５を操作する必要もない。操作の障害となる部材がその近くにあっても把手５０５を利用することで容易に中間搬送ユニット５０５を開閉することができる。
【００２９】
以上のように本実施の形態における複写機の原稿送り装置では、中間搬送ユニット上面に把手を突設しており、その把手に視認用孔を設けているため、装置前面からの視認性を確保しながら、装置内部に配設された中間搬送ユニットの操作を装置前面から簡単にすることができる。このため、車椅子を使用している利用者のように視点が低い場合でも、原稿送り装置の状態を簡単に観察したりメンテナンスしたりすることができる。
【００３０】
なお、上述した実施の形態は本発明の技術的範囲を制限するものではなく、既に記載したもの以外でも、本発明の範囲内で種々の変形や応用が可能である。
【００３１】
図８は反転ガイドを備えた原稿送り装置の外装カバーを開いた状態を示す図である。本発明は、例えば反転ガイドのような中間搬送ユニット以外の可動ユニットを備えた原稿送り装置に適用することも可能である。この原稿送り装置８０１では、外装カバー８０２を開くと、反転ガイド８０３の上面が露出する。反転ガイド８０３の上面は、原稿トレイ８０４にセットされた原稿を搬送するための搬送路に用いられる。反転ガイド８０３の下面は、原稿の搬送方向を反転するために用いられる。原稿が画像読取位置を通過してから原稿の搬送方向を反転し、もう一度その原稿を画像読取位置に送ることで、原稿の両面の画像を読み取る。反転ガイド８０３の下面はそのための搬送路を形成する。この反転ガイド８０３上にも把手８０５が突設されている。反転ガイド８０３は開閉可能に取り付けられており、この把手８０５を使うことで、簡単に反転ガイド８０３を開閉することが可能である。
【００３２】
図９は原稿送り装置の外装カバーおよび反転ガイドを開いた状態を示す図である。原稿送り装置８０１において外装カバー８０２を開いてから、反転ガイド８０３も開くと、反転ガイド８０３がほぼ直立した状態となる。この状態では、反転ガイド８０３の下側にある反転用の搬送路９０１が露出する。このため、搬送方向を反転させるとき原稿が詰まった場合でも、把手８０５を使えば簡単にその原稿を取り除くことができる。
【００３３】
また上述の実施の形態では、装置前部の側板のカバー受け部を原稿の搬送面と略同一に形成したが、これに限られるものではない。装置前部の側板が障害となったりその側板による死角が問題となったりしない範囲でカバー受け部と搬送面との高さを異ならせてもよい。
【００３４】
また、中間搬送ユニットの原稿搬送方向の長さとほぼ同一の欠切を装置前部の側板に形成したが、これに限られるものではない。可動ユニットの原稿搬送方向の長さよりも短い幅の欠切を装置前部の側板に設けるようにしてもよい。
【００３５】
また可動ユニットの表面に複数の把手を突設するようにしてもよい。例えば装置前部側と装置後部側の搬送の障害にならない位置に把手をそれぞれ設けるようにしてもよい。装置後部側の把手は装置前面からの視認性を損なわないので、視認用孔を有していなくてもよい。装置前部側の把手は、装置後部側の把手と形状や大きさなどが異なっていてもよい。
【００３６】
また上述の実施の形態では、中間搬送ユニットを揺動可能に取り付けていたが、これに限られるものではない。例えば可動ユニットを取り外し可能に取り付けるようにしてもよい。この場合、外装カバーを開くことで露出しない部分は、可動ユニットを取り外すことで露出させることができる。
【００３７】
また上述の実施の形態では、原稿送り装置を備えたデジタル複写機として本発明を具体化したが、ファクシミリ、スキャナ、複合機などの他の画像読取装置に本発明を適用することも可能である。
【産業上の利用可能性】
【００３８】
本発明に係る原稿送り装置および画像読取装置によれば、装置前面からの視認性を確保しながら、装置内部に配設された可動ユニットの操作を装置前面から簡単にすることができ、複写機やファクシミリ、スキャナ、複合機など様々な機器に有用である。
【図面の簡単な説明】
【００３９】
【図１】複写機の全体構成を説明するための図である。
【図２】原稿送り装置の外観を示す図である。
【図３】原稿送り装置の全体構成をより詳細に説明するための図である。
【図４】原稿送り装置で原稿が詰まった様子を示す図である。
【図５】原稿送り装置の外装カバーを開いた状態を示す図である。
【図６】外装カバーを開いた原稿送り装置をより低い視点から見た図である。
【図７】原稿送り装置の外装カバーおよび中間搬送ユニットを開いた状態を示す図である。
【図８】反転ガイドを備えた原稿送り装置の外装カバーを開いた状態を示す図である。
【図９】原稿送り装置の外装カバーおよび反転ガイドを開いた状態を示す図である。
【符号の説明】
【００４０】
１０１    複写機
１０２    画像読取部
１０３    画像形成部
１３５    原稿送り装置
１３７    搬送路
４０２    外装カバー
４０４    上面カバー部
４０５    前面カバー部
４０６    装置後部の側板
４０７    装置前部の側板
５０５    中間搬送ユニット
５０６、８０５    把手
６０１、６０３    カバー受け部
６０２    欠切
６０４    視認用孔
８０３    反転ガイド
【図１】
2007124013.tif 000003
【図２】
2007124013.tif 000004
【図３】
2007124013.tif 000005
【図４】
2007124013.tif 000006
【図５】
2007124013.tif 000007
【図６】
2007124013.tif 000008
【図７】
2007124013.tif 000009
【図８】
2007124013.tif 000010
【図９】
2007124013.tif 000011